(57)【要約】【課題】オプション用コネクタをワイヤハーネス幹線上に確実に固定できるシートを提供する。【解決手段】オプション用コネクタの長さ寸法より大きな長さ寸法を有すると共に、前記幹線上に前記コネクタを搭載した状態で全周に巻き付けると共に端部同士を重ねることができる幅寸法を有する矩形状とし、シートの長さ方向の中間部に、前記コネクタのロック片の全体を露出させる穴またはＨ形状の切り込みからなるロック片用開口部を設け、該ロック片用開口部の長さ方向の一端から前記シートの長さ方向の一端にかけてミシン目穴からなるスリットを設けている。【選択図】図１
2014192984.tif 000002
【特許請求の範囲】
【請求項１】
オプション用コネクタをワイヤハーネスの幹線上に巻き付け固定する樹脂製のシートであり、前記コネクタの長さ寸法より大きな長さ寸法を有すると共に、前記幹線上に前記コネクタを搭載した状態で全周に巻き付けると共に端部同士を重ねることができる幅寸法を有する矩形状とし、
該シートの長さ方向の中間部に、前記コネクタのロック片の全体を露出させる穴またはＨ形状の切り込みからなるロック片用開口部を設け、該ロック片用開口部の長さ方向の一端から前記シートの長さ方向の一端にかけてミシン目穴からなるスリットを設けていることを特徴とするオプション用コネクタの固定用シート。
【請求項２】
前記ロック片用開口部は、前記ロック片の全体を露出させる大きさの四角穴、
またはロック片の長さと同等な長さ方向の横軸スリットの両端に幅方向の縦軸スリットを連続して設けてＨ形状とした切り込みからなり、横軸スリットと縦軸スリットで囲まれた両側片部がロック片に押されて開くことにより、該ロック片を外部に露出できる形状としている請求項１に記載のオプション用コネクタの固定用シート。
【請求項３】
前記ロック片用開口部を挟む一方側の前記スリットを設けた側の長さを大とし、反対側のスリットを設けない側の長さを短くし、前記スリットに沿ってシートを分離して前記コネクタを引き出した状態で前記スリットを設けていない部分でシートは前記幹線への巻き付け状態を保持し脱落しない構成としている請求項１または請求項２に記載のオプション用コネクタの固定用シート。
【請求項４】
前記シートは自己融着性を有するものとし、前記コネクタの外周面から前記ワイヤハーネスの幹線外周に巻き付け、幅方向の端部を引っ張って重ね合わせて固着するものとしている請求項１乃至請求項３のいずれか１項に記載のオプション用コネクタの固定用シート。
【発明の詳細な説明】
【技術分野】
【０００１】
本発明はオプション用コネクタの固定用シートに関し、詳しくは、車両に配索されるワイヤハーネスの枝線に接続するジョイントコネクタやオプションコネクタをワイヤハーネスの幹線に搭載して固定するために用いるものである。
【背景技術】
【０００２】
この種のオプション用コネクタはワイヤハーネスの幹線上に搭載して粘着テープを巻き付けて固定しており、オプション電装品が搭載される場合は、相手方コネクタと接続する為に粘着テープを剥がして嵌合できるようにし、オプション電装品が搭載されない場合はワイヤハーネス幹線に粘着テープで固定されたままの状態となる。
【０００３】
図５に示すように、コネクタ１００には相手方コネクタとのロック片１０１がコネクタハウジング１１０の外壁から撓み自在に突出し、ロック片１０１の先端のロック爪１０２がコネクタハウジング１１０の外面の長さ方向中央に位置している。相手方コネクタとの嵌合時に、ロック片１０１は撓んで相手方コネクタのロック枠に挿入し、ロック爪１０２が係止してロック結合される。よって、ロック片１０１を撓み自在に保持しておく必要がある。
【０００４】
コネクタ１００をワイヤハーネス３００の幹線３０１に巻き付ける粘着テープ１３０は、ロック爪１０２及びロック爪の近くに巻き付け、長時間おさえ込んでおくとロック片およびロック爪は可撓性をなくした状態となり、ロック結合が半嵌合になりやすい。かつ、相手方コネクタと嵌合するために粘着テープ１３０を剥がした後に粘着剤がコネクタハウジング外面に残り、ゴミが付着しやすくなる。ゴミが付着すると、相手方コネクタとのロック結合時にはゴミが邪魔をして半嵌合になりやすい。
【０００５】
よって、ワイヤハーネス幹線にコネクタを固定する粘着テープ１３０はロック爪１０２から遠ざかる位置でコネクタ１００に巻き付け、コネクタ１００の長さ方向の中央に巻き付けられず、長さ方向の先端側に巻き付けられることとなる。
【０００６】
例えば、本出願人は特開２０００−１９７２４３号公報で、図６（Ａ）に示すように、ロック片２００をコネクタハウジング２１０の電線接続側端部から突設し、該ロック片２００の基端側を幅広部２００ａとするとともに先端側に幅狭部２００ｂを設け、幅狭部の先端にロック爪２００ｃを設け、幅広部２００ａから電線接続部までに粘着テープ１３０を巻き付けて幹線に固定し、粘着テープ１３０はコネクタ１００の長さ方向の中央ではなく端部に巻き付けている。
【先行技術文献】
【特許文献】
【０００７】
【特許文献１】特開２０００−１９７２４３号公報
【発明の概要】
【発明が解決しようとする課題】
【０００８】
前記図５に示すコネクタの粘着テープの巻き付けでは、コネクタの長さ方向の中央に粘着テープが位置せず、長さ方向の端部に巻き付けられているため、生産工程での搬送中や車両走行中に振動が加わった時に、テープとコネクタ１００との隙間が大きくなり、テープによるコネクタの固定力が低下し、図５中で細線で示すようにコネクタが揺動して位置ずれが発生しやすくなる。よって、周囲に干渉材があると、該干渉材と接触して異音発生の要因になる。
図６（Ａ）に示す構成とする場合も、図６（Ｂ）に示すように、粘着テープ１３０はコネクタ１００の端部に巻き付けているため、図５（Ｂ）と同様に、搬送中や走行中の振動でテープによる固定力が低下し、図６（Ｂ）中で細線で示すようにコネクタが揺動し周辺干渉材と接触して異音発生の要因になる。
【０００９】
本発明は前記問題に鑑みてなされたものであり、オプション用のコネクタの長さ方向の中央位置でテープを用いてワイヤハーネスの幹線に巻き付け固定して、車両の振動等により、テープとコネクタとが外れて、コネクタの位置ずれが生じたり、幹線から枝線と共にコネクタが垂れ下がるのを防止することを課題としている。
【課題を解決するための手段】
【００１０】
前記課題を解消するため、本発明は、オプション用コネクタをワイヤハーネスの幹線上に巻き付け固定する樹脂製のシートであり、前記コネクタの長さ寸法より大きな長さ寸法を有すると共に、前記幹線上に前記コネクタを搭載した状態で全周に巻き付けると共に端部同士を重ねることができる幅寸法を有する矩形状とし、
該シートの長さ方向の中間部に、前記コネクタのロック片の全体を露出させる穴またはＨ形状の切り込みからなるロック片用開口部を設け、該ロック片用開口部の長さ方向の一端から前記シートの長さ方向の一端にかけてミシン目穴からなるスリットを設けていることを特徴とするオプション用コネクタの固定用シートを提供している。
【００１１】
前記ロック片用開口部は、前記ロック片の全体を露出させる大きさの四角穴、
またはロック片の長さと同等な長さ方向の横軸スリットの両端に幅方向の縦軸スリットを連続して設けてＨ形状とした切り込みからなり、横軸スリットと縦軸スリットで囲まれた両側片部がロック片に押されて開くことにより、該ロック片を外部に露出できる形状としている。
【００１２】
前記シートの長さは、コネクタの全長と該コネクタに接続した枝線の長さを合計した寸法とし、前記枝線およびコネクタ全長を覆うことができるようにすることが好ましい。枝線は必ずしも全長を覆う必要はないが、少なくとも一部を覆う長さとしている。
前記ミシン目穴からなるスリットを枝線側に位置させる一方、該スリットと連続する側と反対側の前記ロック片用開口部の長さ方向の他端と該シートの他端までの寸法は、ロック片の先端からコネクタの他端までの寸法とし、前記ロック片用開口部は前記シートの長さ方向で前記スリットと反対側の他端寄りの中間部に設けることが好ましい。
【００１３】
即ち、前記ロック片用開口部を挟む一方側の前記スリットを設けた側の長さを大とし、反対側のスリットを設けない側の長さを短くし、前記スリットに沿ってシートを分離して前記コネクタを引き出した状態で前記スリットを設けていない部分でシートは前記幹線への巻き付け状態を保持し脱落しない構成としている。
このように、オプション用コネクタでは、相手方コネクタと嵌合するために幹線との固定を解く際、前記スリットでシートを分離すると、枝線に接続したコネクタをシートから容易に引き出して幹線との固定を解くことができると共に、ロック片用開口部を挟んだ他方では、シートは引き裂かれずに分離しないため、幹線に残り、ゴミとして落下することはない。
【００１４】
前記シートは自己融着性を有するものとし、前記コネクタの外周面から前記ワイヤハーネスの幹線外周に巻き付け、幅方向の端部を引っ張って重ね合わせて固着するものとしていることが好ましい。
なお、自己融着性を有するシートに限定されず、一面に粘着剤が塗布されたシートでもよい。
【００１５】
前記形状とした本発明のシートは、ワイヤハーネスの幹線に搭載したオプション用のコネクタにシートを巻き付けて固定する際に、ロック片用開口部にコネクタのロック片を位置させれば良いだけであるため、ロック片を避けるようにシートやテープを巻き付ける必要はなく、固定作業が容易かつ安定して行うことができる。該シートによる固定状態で、コネクタのロック片を除く両側および全体をシートで覆って固定するため、コネクタはワイヤハーネスの幹線にしっかりと固定でき、生産工程での搬送時や車両走行時に振動が加えられてもシートからコネクタが外れたり位置ずれが生じるのを防止でき、異音発生の要因にならない。
かつ、ワイヤハーネスの幹線に固定した状態で、ロック片はロック片用開口部から露出でき、シートによりロック片は押さえられないため可撓性を損なわず、しかも、シートを剥がした後に粘着剤が残存してゴミが付着することもなく、よって、相手方コネクタと嵌合する際に半嵌合にならずに確実にロックできる。
一方、オプション機器が搭載され、オプション用のコネクタを相手方コネクタと嵌合する際には、前記ロック片用開口部とシートの端縁に連続するミシン目からなるスリットがあるため、長さ方向の一端から前記ロック片用開口部に向かって前記スリットに沿ってシートを分離でき、この分離した部分からコネクタを取り出すことができる。
【発明の効果】
【００１６】
前記のように、本発明のオプション用コネクタの固定用シートによれば、ワイヤハーネスの幹線に搭載するオプション用コネクタに巻き付けるシートの中間部にロック片用開口部を設けて、ロック片を外部に露出させてシートによる固定状態でロック片に可撓性を損なわせず、かつ、ロック片を除くコネクタの外周面の全体をシートで押さえているため、ワイヤハーネスの幹線にしっかりと固定でき、離脱や位置ずれの発生を防止できる。
また、オプション用コネクタを用いる場合は、ロック片用開口部の長さ方向の一端からシートの一端にかけてミシン目穴からなるスリットを設けているため、オプション用コネクタを相手方コネクタと嵌合するためにワイヤハーネス幹線とのシートによる固定を解く際、ロック片用開口部を挟む一側部を前記スリットで容易に分離して、コネクタを枝線と共に容易に引き出すことができる。
【図面の簡単な説明】
【００１７】
【図１】本発明の第１実施形態のシートを示し、（Ａ）は平面図、（Ｂ）は（Ａ）のＢ−Ｂ線断面図である。
【図２】前記シートをワイヤハーネス幹線上に搭載したコネクタに巻き付けている状態を示し、（Ａ）は正面図、（Ｂ）は平面図、（Ｃ）は（Ａ）のＣ−Ｃ線断面図である。
【図３】（Ａ）（Ｂ）（Ｃ）は前記コネクタをシートから引き出す状態の工程を示す図面である。
【図４】第２実施形態のシートを示し、（Ａ）は平面図、（Ｂ）はコネクタに巻き付けた状態の一部断面図である。
【図５】従来例を示す図面である。
【図６】（Ａ）は他の従来例を示す正面図、（Ｂ）は問題点を示す図面である。
【発明を実施するための形態】
【００１８】
以下、本発明の実施形態を図面を参照して説明する。
図１乃至図３に第１実施形態を示す。
図１にオプション用コネクタを固定するためのシート１を示す。シート１はブチルゴム製からなる薄肉で可撓性を有する矩形状のシートからなる。
図２に示すように、オプション用のコネクタ２０はワイヤハーネス５０の幹線５１から分岐する枝線５２の端末に接続され、幹線５１の外周面に搭載した状態でシート１をコネクタ２０および幹線５１に巻き付けて固定するものである。  
【００１９】
シート１はブチルゴムからなる自己融着性を有する薄肉の可撓性を有する矩形状シートからなる。該シート１の長さ寸法Ｌ１は、コネクタ２０の全長Ｌ２と枝線５２の長さＬ３を略合計した長さとし、よってコネクタ２０の全長より大きな寸法としている。幹線５１に搭載したコネクタ２０への巻き付け方向となるシート１の幅Ｗは、幹線５１上にコネクタ２０を搭載した状態で全周に巻き付けると共に、幅方向の両端部１ｅ−１と１ｅー２同士を重ねて自己融着できる幅寸法に設定している。
該自己融着性を有するシート１は、周知のように２〜３倍程度伸ばしながら引っ張って重ねあわせると互いに密着して一体となるため前記伸びを見込んで幅寸法Ｗを設定している。
【００２０】
シート１の長さ方向および幅方向の中間部に、コネクタ２０の上面中央に設けたロック片２１の全体を露出させることができる大きさの四角状の穴からなるロック片用開口部２を設けている。該ロック片用開口部２からロック片２１を突出させた状態で、ロック片２１を囲むコネクタ２０の上面２０ｕにシート１のロック片用開口部２の周縁がかぶさるように設定している。
【００２１】
かつ、ロック片用開口部２の長さ方向の一端からシート１の長さ方向の一端１ａにかけてミシン目穴からなるスリット３を設けている。
【００２２】
ロック片用開口部２の長さ方向の形成位置は、該ロック片用開口部２の長さ方向の一端２ａからシート１の一端１ａまでが、ロック片用開口部２からコネクタ２０を露出させるようにかぶせた状態でコネクタ２０の一端２０ａを越えて枝線５２が幹線５１から分岐する基端位置まで延在する長さ寸法ｓ３としている。なお、シート１を枝線５２の基端まで延在させる必要はないが、枝線５２にかぶせる長さとすることが好ましい。
ロック片用開口部２の他端２ｂからシート１の他端１ｂまでの長さ寸法ｓ４はコネクタ２０の他端２０ｂにシートの他端１ｂが位置する長さとしている。
【００２３】
前記のように、ミシン目穴からなるスリット３を延在させたロック片用開口部２の一端２ａからシート１の一端１ａまでの寸法ｓ３は、他端側の寸法ｓ４より大きくｓ３＞ｓ４とし、ｓ３はｓ４の２〜４倍としている。
【００２４】
図３に示すように、前記シート１を用いて、ワイヤハーネス５０の幹線５１から分岐した枝線５２の端末に接続したオプション用のコネクタ２０を幹線５１上に固定している。  該シート１を用いた固定の順序は、まず、コネクタ２０をロック片２１が上面側となるように幹線５１上に搭載する。
ついで、シート１のロック片用開口部２にコネクタ２０のロック片２１を露出させると共に、ミシン目穴からなるスリット３を設けた側部が枝線５２上に位置するように、シート１を被せる。
ついで、シート１をコネクタ２０の外周および枝線５２の外周から幹線５１の外周にかけて巻き付け、幹線５１の下面側でシート１の両端部１ｅ−１と１ｅ−２を引っ張って重ね合わせ、自己融着で固着する。其の際、コネクタ２０のロック片２１を囲む外面にシート１が引張力により密着した状態となり、コネクタ２０を強く押さえ込んで幹線５１上にしっかりと固定する。
なお、シート１はコネクタ２０の外面に密着しているだけであり、接着、融着等はしていない。
【００２５】
このように、シート１にロック片用開口部２を設け、該ロック片用開口部２にコネクタ２０のロック片２１を位置させているためシート１でロック片２１が押さえられてヘタリが生じることはない。かつ、ロック片２１を囲むコネクタ２０の外面がシート１で押さえられるため、強く幹線に固定でき、生産工程の搬送中や車両走行時に振動を受けてもコネクタ２０はシート１内で位置ずれすることが防止できると共にシート１から離脱しない。
【００２６】
一方、オプション機器が車両に搭載され、オプション用のコネクタ２０を相手方コネクタと接続する場合、シート１のスリット３に沿って、シート１を引き裂き、ロック片用開口部２の一端２ａからシート１の一端１ａにかけてシート１を分離する。この分離して両側にシート１を開いた状態で、枝線５２を引っ張ってコネクタ２０を引き出す。その際、ロック片用開口部２の他端２ｂとシート１の他端１ｂとの間はシート１が分離していないが、シート１はコネクタ２０に接着または粘着していないため、枝線５２を引っ張ってコネクタ２０を容易に引っ張り出して幹線５１との固定を解くことができる。
かつ、シート１は前記のようにロック片用開口部２の他端２ｂとシート１の他端１ｂとの間はシート１が分離していないため幹線５１の外周に図３（Ｃ）に示す状態となって残存し、ゴミとして落下しない。
【００２７】
図４に第２実施形態を示す。
第２実施形態はシート１に設けるロック片用開口部の形状を変えて、Ｈ字状の切り込みからなるロック片用開口部２−Ａとしている。詳細には、コネクタ２０のロック片２１の長さと略同等な長さ方向の横軸スリット１１の両端に幅方向の縦軸スリット１２、１３を連続して設けて、Ｈ形状の切り込みとしている。横軸スリット１１と縦軸スリット１２、１３で囲まれた両側片部１４、１５がロック片２１に押されて開くことにより、ロック片２１がシート１で押されず、外部に露出できる形状としている。
【００２８】
一方の縦軸スリット１３からシート１の一端にかけて第１実施形態と同様なミシン目穴からなるスリット３を設けていると共に、シート１の大きさ、シート１を自己融着性を有するブチルゴムから形成している等、他の構成、巻き付け方および作用効果は第１実施形態と同様であるため、同一符号を付して説明を省略する。
【００２９】
本発明は前記実施形態に限定されず、シートを自己融着性を有するブチルゴムとせず、自己融着性を有しない樹脂シートとしてもよい。その場合はシートの裏面に粘着剤を塗布しておく。コネクタのロック片はシートで覆わないため、シートの粘着剤がロック片に残存することはなく、残存した粘着剤にゴミが付着してロックが半嵌合になるのを防止できる。
【符号の説明】
【００３０】
１  シート
２  ロック片用開口部
３  ミシン目穴からなるスリット
２０  オプション用のコネクタ
２１  ロック片
５０  ワイヤハーネス
５１  幹線
５２  枝線
【図１】
2014192984.tif 000003
【図２】
2014192984.tif 000004
【図３】
2014192984.tif 000005
【図４】
2014192984.tif 000006
【図５】
2014192984.tif 000007
【図６】
2014192984.tif 000008